(57)【要約】【課題】必要パーツを簡単にし、製造プロセスを容易にすることで、製造コストを効果的に抑えた電子装置の接続端子の構造を提供する。【解決手段】主にインターフェイス接続端子１００と支え部１０１とケース１０２より構成し、該支え部１０１の一端を該接続端子１００と接続し、該支え部１０１には少なくとも一つの嵌合部１０１１を設け、該ケース１０２には少なくとも第一及び第二の定位部１０２１，１０２２を設け、該支え部１０１と該ケース１０２とを相互に連結させる際に該嵌合部１０１１を該第一或いは第二定位部１０２１，１０２２と連結させることにより、該接続端子１００を該ケース１０２の第一垂直面位置或いは第二垂直面に定位する。【選択図】    図２
0003105856.tif 000002
【実用新案登録請求の範囲】
【請求項１】
インターフェイス接続端子と、
更に一端が該インターフェイス接続端子と接続され、且つ少なくとも一つの嵌合部を具有する支え部と、
少なくとも第一及び第二定位部を具有するケースと、
を具有する電子装置の接続端子の構造において、
該支え部と該ケースとが相互に接続されると、該嵌合部と該第一或いは第二定位部とが結合し、該インターフェイス接続端子が少なくとも該ケースの第一垂直面或いは第二垂直面位置にて定位されることを特徴とする電子装置の接続端子の構造。
【請求項２】
該ケースには更に第一収容空間を具有し、該支え部が該第一収容空間中に収容されることを特徴とする請求項１記載の電子装置の接続端子の構造。
【請求項３】
該ケースには第二収容空間を具有することにより、該インターフェイス接続端子と電気的に接続される電子回路ユニットを収容する個所を提供することを特徴とする請求項１記載の電子装置の接続端子の構造。
【請求項４】
該支え部は弾力を具有する部品により、該ケースと相互に連結されることを特徴とする請求項１記載の電子装置の接続端子の構造。
【請求項５】
該弾力を具有する部品とは、バネであることを特徴とする請求項４記載の電子装置の接続端子の構造。
【請求項６】
該嵌合部は一対の相対する凸型を呈したブロックであり、該第一定位部並びに第二定位部はそれぞれ該凸型のブロックに対応した凹型の溝となっており、また該第一定位部と第二定位部はそれぞれ該第一垂直面と該第二垂直面に位置することを特徴とする請求項１記載の電子装置の接続端子の構造。
【請求項７】
該インターフェイス接続端子とはUSB接続端子であることを特徴とする請求項１記載の電子装置の接続端子の構造。
【請求項８】
該インターフェイス接続端子とは、IEEE1394接続端子であることを特徴とする請求項１記載の電子装置の接続端子の構造。
【考案の詳細な説明】
【技術分野】
【０００１】
本考案は電子装置の接続端子の構造に係り、接続端子の方位を速やかに変換できる構造を具有し、使用に便利な電子装置の接続端子の構造に関わる。
【背景技術】
【０００２】
現在市場に出ているコンピュータに直接連結できる電子装置は益々普及する傾向にあり、例えばカードリーダーやワイヤレスレシーバー、ワイヤレスネットワークカード、ペンドライブ（pen drive）等があるが、USBインターフェイスやIEEE1394インターフェイス等を接続端子としている。しかしコンピュータホスト上のUSBポートやIEEE1394ポートとの距離が近すぎることにより、周辺装置の体積が大きい際は連結用ポートが使用できないといった問題が出てきている。
そこで開発されたのがUSB接続端子であり、回転構造を具有することにより、USB接続端子の位置が変えられるようにし、これにより周辺装置の位置を調整し、上述のような問題が生ずるのを回避している。該当技術は台湾実用新案公報TW539185、TW558025、TW499077、TW568464、TW573863等により、解決方法が提示されている。
【特許文献１】台湾実用新案TW539185号公報
【特許文献２】台湾実用新案TW558025号公報
【特許文献３】台湾実用新案TW499077号公報
【特許文献４】台湾実用新案TW568464号公報
【特許文献５】台湾実用新案TW573863号公報
【考案の開示】
【考案が解決しようとする課題】
【０００３】
しかし上述のような回転構造を具有する接続端子においても、以下のような欠点がある。
先ず構造のパーツが複雑であり製造コストが高いこと、並びに組み立ても難度が高いこと。次に該接続端子の回転構造においても必要とするパーツが多く必然的にコストも高くなっており、その精密度の高さが要求されていることから金型のコストも同様に高くついてしまい、全体的に生産コストがかかり過ぎることが言える。
そこで必要パーツを簡単にし、製造プロセスを容易にすることで、製造コストを効果的に抑えた本考案の電子装置の接続端子の構造を提供する。
【課題を解決するための手段】
【０００４】
主にインターフェイス接続端子、支え部、ケースより構成する。該支え部は該インターフェイス接続端子と連結され、且つ該支え部には一組の相対する嵌合凸型ブロックを設ける。該ケースには収容空間と少なくとも二組の定位凹型溝を設ける。該二組の定位凹型溝は、それぞれ該ケースの第一垂直面上に位置する第一定位凹型溝と、該ケースの第二垂直面上に位置する大に定位凹型溝とに定義し、該支え部は弾力を具有する部品により該ケースと連結し、且つ該支え部を該収容空間に収容する。こうして該嵌合凸型ブロックが該第一定位凹型溝に収容されると、該インターフェイス接続端子は該ケースの第一垂直面上に位置し、該嵌合凸型ブロックが該第二定位凹型溝に収容されると、該インターフェイス接続端子は該ケースの第二垂直面上に位置するようにする。
【０００５】
すなわち、請求項１に記載の電子装置の接続端子の構造は、
インターフェイス接続端子と、
更に一端が該インターフェイス接続端子と接続され、且つ少なくとも一つの嵌合部を具有する支え部と、
少なくとも第一及び第二定位部を具有するケースと、
を具有する電子装置の接続端子の構造において、
該支え部と該ケースとが相互に接続されると、該嵌合部と該第一或いは第二定位部とが結合し、該インターフェイス接続端子が少なくとも該ケースの第一垂直面或いは第二垂直面位置にて定位されることを特徴とする。
【０００６】
請求項２に記載するように、該ケースには更に第一収容空間を具有し、該支え部が該第一収容空間中に収容されることを特徴とする。
請求項３に記載するように、該ケースには第二収容空間を具有することにより、該インターフェイス接続端子と電気的に接続される電子回路ユニットを収容する個所を提供することを特徴とする。
請求項４に記載するように、該支え部は弾力を具有する部品により、該ケースと相互に連結されることを特徴とする。
【０００７】
請求項５に記載するように、該弾力を具有する部品とは、バネであることを特徴とする。
請求項６に記載するように、該嵌合部は一対の相対する凸型を呈したブロックであり、該第一定位部並びに第二定位部はそれぞれ該凸型のブロックに対応した凹型の溝となっており、また該第一定位部と第二定位部はそれぞれ該第一垂直面と該第二垂直面に位置することを特徴とする。
請求項７に記載するように、該インターフェイス接続端子とはUSB接続端子であることを特徴とする。
請求項８に記載するように、該インターフェイス接続端子とは、IEEE1394接続端子であることを特徴とする。
【０００８】
本考案によると、必要なパーツが簡単且つ組み立てが容易であることから製造コストが抑えられたと同時に使用の際の操作を簡単にする目的が達成された。
【考案を実施するための最良の形態】
【０００９】
本考案において指す電子装置とは、指紋入力装置やモデム、HUB（集線器）やデータリンクブリッジ、及びカードリーダやワイヤレスレシーバー、並びにネットワークカード、ポータブルストレージ装置、ペンドライブ（pen drive）、ミニハードディスク等を含むものである。
【００１０】
図１，２，３に示すように、本考案の電子装置接続端子の構造における第一実施例では、主にUSB接続端子１００、支え部１０１、ケース１０２の組合せによって構成されている。該USB接続端子１００は該支え部１０１上に接続されており、且つ該支え部１０１には少なくとも一組以上の相対する嵌合凸型ブロック１０１１が設けられており、該ケース１０２における少なくとも二組の定位凹型溝に嵌合される。該ケース１０２の二組の定位凹型溝はそれぞれ、該ケース１０２の第一垂直面上に設けられた第一定位凹型溝１０２１、並びに該ケース１０２の第二垂直面上に設けられた第二定位凹型溝１０２２と定義され、第一実施例の中においては該第一垂直面と該第二垂直面とは相互に垂直（90度）を呈しているものとする。該ケース１０２には第一収容空間１０２３が設けられており、該支え部１０１を該第一収容空間１０２３に入れるとき、該嵌合凸型ブロック１０１１が該第一定位凹型溝１０２１に収容され、該USB接続端子１００は該ケース１０２の第一定位凹型溝１０２１が位置する第一軸向上に位置し、該嵌合凸型ブロック１０１１が該第二定位凹型溝１０２２に収容されると、該USB接続端子１００は該ケース１０２の第二定位凹型溝１０２２の位置する第一軸垂直面上に位置し、こうすることで該USB接続端子１００の方位を変えることができるようにする。該支え部１０１は弾力を具有する部品を利用して該ケース１０２に連結されており、本考案の第一実施例中では該弾力を具有する部品をバネ１０３としており、該USB接続端子１００の電気的な導線１０１２が該バネ１０３の中間をとおり、該ケース１０２内の第二収容空間１０２４の電子回路ユニット２００と電気的に接続される。該バネ１０３であるが、該支え部１０１と該ケース１０２との間に設置され、該バネ１０３の縮む力を該支え部１０１と該ケース１０２とが連結する力とし、更に該嵌合凸型ブロック１０１１と該第一定位凹型溝１０２１並びに第二定位凹型溝１０２２とが相互に組み合わされ、即ち嵌合されることにより、該USB接続端子１００の方向を転換させる目的を達成するものとする。また実施の際には定位を更に安定したものにすべく、該定位凹型溝を二組以上設けることにより、使用者が該接続端子１００を少なくとも二つ以上の異なる垂直面上にて定位できるようにする。
【００１１】
図４，５に示すように、使用者が該USB接続端子１００の角度を調整しようとする際は、該USB接続端子１００を引き出し、該支え部１０１の嵌合凸型ブロック１０１１を連動させて該定位凹型溝１０２１中より引張りだし、該USB接続端子１００を90度方向転換させる。すると該USB接続端子１００は該第一垂直面から第二垂直面に方向が変わり、該嵌合凸型ブロック１０１１を該第二定位凹型溝１０２２内に嵌合させたら、バネの縮む力を利用し、該嵌合凸型ブロック１０１１と該第一定位凹型溝１０２１並びに該第二定位凹型溝１０２２を相互に嵌合させる。
【００１２】
図６に示すように、本考案における第二実施例は上述の第一実施例（図２参照）とほとんどその構造が等しいものであるが、第二実施例ではその接続端子をIEEE1394接続端子１００aとしている。
【図面の簡単な説明】
【００１３】
【図１】本考案における第一実施例の分解図である。
【図２】本考案における第一実施例の組み立て後の図である。
【図３】本考案における第一実施例の断面図である。
【図４】本考案における第一実施例の動作を説明する図１である。
【図５】本考案における第一実施例の動作を説明する図２である。
【図６】本考案における第二実施例の組み立て後の図である。
【符号の説明】
【００１４】
１００  USB接続端子
１０１  支え部
１０１１  嵌合凸型ブロック
１０１２  導線
１０２  ケース
１０２１  第一定位凹型溝
１０２２  第二定位凹型溝
１０２３  第一収容空間
１０２４  第二収容空間
１００a  IEEE1394接続端子
１００  バネ
２００  電子回路ユニット
【図１】
0003105856.tif 000003
【図２】
0003105856.tif 000004
【図３】
0003105856.tif 000005
【図４】
0003105856.tif 000006
【図５】
0003105856.tif 000007
【図６】
0003105856.tif 000008